(57)【特許請求の範囲】
【請求項１】
外周部に複数のガス噴出孔が設けられたガス噴出部と、前記ガス噴出部に隣接した状態で同ガス噴出部と同軸上に設けられた非ガス噴出部とを有する長尺状のガス発生器本体を備えるとともに、前記ガス噴出孔から噴出される膨張用ガスにより膨張する膨張部を有するエアバッグを備え、
前記エアバッグは、収容壁部により筒状に形成され、かつ前記ガス発生器本体が収容される収容室を前記膨張部の外部に備え、
少なくとも前記収容室の一端部には、前記ガス発生器本体の挿入口が設けられ、
前記収容室の他端部には、前記ガス噴出孔が前記膨張部内に位置するように、前記非ガス噴出部を挿通させるための挿通部を有する隔壁が設けられ、
前記隔壁は、前記収容室と前記膨張部とを隔てるとともに、前記膨張部内の膨張用ガスが、前記挿通部の内壁面と前記非ガス噴出部との隙間から前記収容室へ漏出するのを規制するものであり、
前記ガス発生器本体と、前記非ガス噴出部において、前記ガス噴出部から前記ガス発生器本体の軸線に沿う方向へ離間した１つ以上の箇所において、同軸線に直交する方向へ突設され、かつ前記非ガス噴出部の少なくとも外周部分を乗物に取付ける際に用いられる取付突起とによりガス発生器が構成され、
前記挿通部と前記挿入口との間であって、前記収容壁部のうち前記膨張部とは反対側の部分には、前記取付突起が挿通される取付孔が設けられており、
前記取付突起は、前記非ガス噴出部の少なくとも外周部分であって、前記ガス噴出部に対し前記軸線に沿う方向に隣接する箇所に設けられる特定取付突起を含み、
前記隔壁は、前記特定取付突起が前記取付孔に挿通された状態の前記ガス発生器におけるその特定取付突起と前記ガス噴出部との間に配置されており、
前記隔壁の少なくとも一部には、前記特定取付突起の長さ方向に伸縮可能に構成された伸縮部が形成されており、
前記伸縮部は、１つの屈曲部を介して屈曲されて、前記取付突起の長さ方向に重ね合わされた一対の重ね合わせ部により構成されており、
前記挿通部は、孔により構成されており、自身の中心が、一対の前記重ね合わせ部の間の前記屈曲部よりも前記取付孔から遠い側に位置するように形成されているエアバッグ装置。
【請求項２】
前記挿通部は、その内壁面が前記非ガス噴出部に密着する大きさに形成されている請求項１に記載のエアバッグ装置。
【請求項３】
前記非ガス噴出部は円柱状をなしており、
前記挿通部は、その内壁面が前記非ガス噴出部の外周面に密着する円形の孔により構成されている請求項２に記載のエアバッグ装置。
【請求項４】
前記挿通部の全体は、一対の前記重ね合わせ部のうち、前記取付孔から遠い側の重ね合わせ部に形成されている請求項１〜３のいずれか１項に記載のエアバッグ装置。
【発明の詳細な説明】
【技術分野】
【０００１】
本発明は、衝突等により乗物に衝撃が加わった場合に、乗物用シートに着座している乗員に接近した箇所でエアバッグを展開及び膨張させて、乗員を衝撃から保護するエアバッグ装置に関する。
【背景技術】
【０００２】
衝突等により車両に衝撃が加わった場合に乗員をその衝撃から保護する装置として、エアバッグ装置が有効である。このエアバッグ装置の一形態として、例えば、特許文献１には、長尺状をなし、かつ一端部にガス噴出部を有するガス発生器と、ガス噴出部から噴出される膨張用ガスにより膨張する膨張部を有するエアバッグとを備えるものが記載されている。
【０００３】
エアバッグは、ガス発生器を収容するための筒状の収容室を、膨張部の外部に備えている。すなわち、エアバッグは第１の基布によって形成されている。第１の基布には、その内側から第２の基布が重ねられている。第１の基布と第２の基布とが縫合されるとともに、第１の基布に開口が設けられることにより、両端が開口された筒状の収容室が形成されている。第１の基布における開口は、ガス発生器の挿入口（開口部）とされており、この挿入口を通じ、ガス発生器が収容室に挿入されている。
【０００４】
さらに、エアバッグにおいて、挿入口とガス噴出部との間であって、ガス発生器を挟んで径方向に対向する２箇所には、第１の基布及び第２の基布を縫合することで、一対の絞り部が設けられている。両絞り部が設けられた箇所では、収容室の内壁面とガス発生器との隙間が、他の箇所よりも小さくされている。そのため、膨張部内の膨張用ガスが収容室を通って外部へ漏出することが抑制される。
【先行技術文献】
【特許文献】
【０００５】
【特許文献１】特開２０１４−６９５８５号公報
【発明の概要】
【発明が解決しようとする課題】
【０００６】
ところが、第１の基布と第２の基布とを縫合することにより一対の絞り部を形成する上記特許文献１では、その縫合により絞り部の剛性が高くなる。そのため、絞り部は、ガス発生器に沿って変形しにくい。従って、両絞り部が設けられた箇所では、収容室の内壁面とガス発生器との隙間を小さくするにも限度があり、シール性を高めるうえで改良の余地がある。
【０００７】
本発明は、このような実情に鑑みてなされたものであって、その目的は、膨張部内の膨張用ガスが収容室を通って漏出するのを抑制する性能を高めることのできるエアバッグ装置を提供することにある。
【課題を解決するための手段】
【０００８】
上記課題を解決するエアバッグ装置は、外周部に複数のガス噴出孔が設けられたガス噴出部と、前記ガス噴出部に隣接した状態で同ガス噴出部と同軸上に設けられた非ガス噴出部とを有する長尺状のガス発生器本体を備えるとともに、前記ガス噴出孔から噴出される膨張用ガスにより膨張する膨張部を有するエアバッグを備え、前記エアバッグは、収容壁部により筒状に形成され、かつ前記ガス発生器本体が収容される収容室を前記膨張部の外部に備え、少なくとも前記収容室の一端部には、前記ガス発生器本体の挿入口が設けられ、前記収容室の他端部には、前記ガス噴出孔が前記膨張部内に位置するように、前記非ガス噴出部を挿通させるための挿通部を有する隔壁が設けられ、前記隔壁は、前記収容室と前記膨張部とを隔てるとともに、前記膨張部内の膨張用ガスが、前記挿通部の内壁面と前記非ガス噴出部との隙間から前記収容室へ漏出するのを規制するものである。
【０００９】
上記の構成によれば、エアバッグは、膨張部の外部に収容室を備える構造を採る。収容室は筒状をなし、一端部に挿入口を有し、他端部に隔壁を有する。この隔壁により、膨張部と収容室とが隔てられる。
【００１０】
ガス発生器本体は、挿入口を通じて収容室に挿入される。また、ガス発生器本体の非ガス噴出部は、ガス噴出孔が膨張部内に位置するように、隔壁の挿通部に挿通される。隔壁は、特許文献１における縫合部分のような、挿通部の周りの部分の剛性を高める構成を有していない。挿通部の内壁面は、剛性を高められた場合よりも非ガス噴出部に沿って変形しやすい。そのため、非ガス噴出部と挿通部の内壁面との間には隙間が生ずるが、その隙間は、剛性が高められて変形しにくくなる特許文献１よりも小さくなる。
【００１１】
従って、エアバッグ装置が作動してガス噴出部のガス噴出孔から膨張用ガスが噴出されると、この膨張用ガスは膨張部に供給されて、同膨張部を膨張させる。この際、膨張部内に供給された膨張用ガスが、挿通部の内壁面と非ガス噴出部との隙間から収容室へ漏出しようとしても、その隙間が小さくなっていることから漏出しにくい。
【００１２】
上記エアバッグ装置において、前記挿通部は、その内壁面が前記非ガス噴出部に密着する大きさに形成されていることが好ましい。
挿通部が上記の大きさに形成されることで、挿通部に非ガス噴出部が挿通された状態では、挿通部の内壁面が非ガス噴出部に密着する。そのため、非ガス噴出部と挿通部の内壁面との間の隙間は採り得る最小又はそれに近い大きさとなり、この隙間から漏出する膨張用ガスが少なくなる。
【００１３】
上記エアバッグ装置において、前記非ガス噴出部は円柱状をなしており、前記挿通部は、その内壁面が前記非ガス噴出部の外周面に密着する円形の孔により構成されていることが好ましい。
【００１４】
上記の構成によるように、非ガス噴出部が円柱状をなしている場合、挿通部を円形の孔によって構成することで、同挿通部を他の形状にする場合に比べ、挿通部の内壁面を非ガス噴出部の外周面に密着させることが容易となる。
【００１５】
上記エアバッグ装置において、前記ガス発生器本体と、前記非ガス噴出部において、前記ガス噴出部から前記ガス発生器本体の軸線に沿う方向へ離間した１つ以上の箇所において、同軸線に直交する方向へ突設され、かつ前記非ガス噴出部の少なくとも外周部分を乗物に取付ける際に用いられる取付突起とによりガス発生器が構成され、前記挿通部と前記挿入口との間であって、前記収容壁部のうち前記膨張部とは反対側の部分には、前記取付突起が挿通される取付孔が設けられていることが好ましい。
【００１６】
上記の構成によれば、取付突起が、挿通部と挿入口との間であって、収容壁部のうち膨張部とは反対側の部分に設けられた取付孔に挿通されることで、取付突起をエアバッグ（膨張部及び収容室）の外部に位置させた状態で、非ガス噴出部の少なくとも外周部分がエアバッグに組付けられる。そして、この取付突起が乗物に取付けられることで、非ガス噴出部の少なくとも外周部分が収容室、ひいてはエアバッグを伴って乗物に固定される。
【００１７】
上記エアバッグ装置において、前記取付突起は、前記非ガス噴出部の少なくとも外周部分であって、前記ガス噴出部に対し前記軸線に沿う方向に隣接する箇所に設けられる特定取付突起を含み、前記隔壁は、前記特定取付突起が前記取付孔に挿通された状態の前記ガス発生器におけるその特定取付突起と前記ガス噴出部との間に配置されており、前記隔壁の少なくとも一部には、前記特定取付突起の長さ方向に伸縮可能に構成された伸縮部が形成されていることが好ましい。
【００１８】
非ガス噴出部の少なくとも外周部分に、ガス発生器本体の軸線に直交する方向へ突出する取付突起が設けられたガス発生器では、これをエアバッグに組付ける際に、非ガス噴出部の少なくとも外周部分及び取付突起を挿入口から収容室に挿入しながら、取付突起を取付孔に近づける必要がある。そのためには、収容室のうち、少なくとも挿入口と取付孔との間の領域では、軸線に直交する方向における寸法が、非ガス噴出部の少なくとも外周部分及び取付突起を挿入できる寸法になっていることが要求される。
【００１９】
また、取付突起がガス噴出部の近くに位置する特定取付突起であり、かつその特定取付突起の挿通される取付孔が隔壁に近い箇所に位置している場合、その隔壁は、上記軸線に直交する方向における収容室の大きさに影響を及ぼす。そのため、仮に、隔壁の寸法が適正値よりも小さいと、挿入口と取付孔との間の領域では、軸線に直交する方向における収容室の寸法が、非ガス噴出部の少なくとも外周部分及び取付突起を挿入できる寸法よりも小さくなってしまう。
【００２０】
この点、上記の構成によるように、隔壁に伸縮部が形成されていると、その隔壁は特定取付突起の長さ方向に伸縮することが可能である。従って、例えば、特定取付突起が取付孔に挿通される前に、隔壁を特定取付突起の長さ方向に伸張させることで、挿入口と取付孔との間の領域では、軸線に直交する方向における収容室の寸法を、非ガス噴出部の少なくとも外周部分及び特定取付突起を挿入できる寸法にすることが可能である。
【００２１】
また、非ガス噴出部が挿通部に挿通された状態のガス発生器本体の少なくとも外周部分を収容壁部に近づけると、隔壁が特定取付突起の長さ方向に収縮されつつ、特定取付突起が取付孔に挿通される。
【００２２】
上記エアバッグ装置において、前記伸縮部は、屈曲部において屈曲されて、前記取付突起の長さ方向に重ね合わされた複数の重ね合わせ部により構成されていることが好ましい。
【００２３】
上記の構成によれば、隔壁では、屈曲部において隣り合う重ね合わせ部のなす角を変化させることで、伸縮部が取付突起の長さ方向に伸縮する。
上記エアバッグ装置において、前記伸縮部は、１つの屈曲部を介して屈曲されて、前記取付突起の長さ方向に重ね合わされた一対の重ね合わせ部により構成されており、前記挿通部は、孔により構成されており、自身の中心が、一対の前記重ね合わせ部の間の前記屈曲部よりも前記取付孔から遠い側に位置するように形成されていることが好ましい。
【００２４】
上記の構成によれば、隔壁では、屈曲部において隣り合う一対の重ね合わせ部のなす角が変化することで、伸縮部が特定取付突起の長さ方向に伸縮する。
また、特定取付突起が取付孔に挿通される前に、伸縮部を特定取付突起の長さ方向に伸張させることで、挿入口と取付孔との間の領域では、軸線に直交する方向における収容室の寸法を、非ガス噴出部の少なくとも外周部分及び特定取付突起を挿入できる寸法にすることが可能である。
【００２５】
一方、孔からなる挿通部の中心は、一対の重ね合わせ部間の屈曲部よりも取付孔から遠い側に位置している。挿通部の近くには、収容壁部のうち膨張部に近い側の部分が位置する。
【００２６】
従って、特定取付突起が収容壁部のうち膨張部から遠い側の部分に向かって延びるように、非ガス噴出部の少なくとも外周部分の姿勢を調整する。そして、非ガス噴出部の少なくとも外周部分を、挿入口から、収容壁部のうち膨張部に近い側の部分に沿って挿入することで、特定取付突起を取付孔へ導くことが可能となる。
【００２７】
上記エアバッグ装置において、前記挿通部の全体は、一対の前記重ね合わせ部のうち、前記取付孔から遠い側の重ね合わせ部に形成されていることが好ましい。
上記の構成によれば、孔からなる挿通部の全体は、一対の重ね合わせ部のうち、取付孔から遠い側の重ね合わせ部に形成されている。この重ね合わせ部は、収容壁部のうち膨張部に近い側の部分に隣接している。
【００２８】
従って、姿勢の調整された非ガス噴出部の少なくとも外周部分を、挿入口から、収容壁部のうち膨張部に近い側の部分に沿って挿入することで、特定取付突起が取付孔へ的確に導かれる。
【発明の効果】
【００２９】
上記エアバッグ装置によれば、膨張部内の膨張用ガスが収容室を通って漏出するのを抑制する性能を高めることができる。
【図面の簡単な説明】
【００３０】
【図１】車両用のサイドエアバッグ装置に具体化した一実施形態を示す図であり、同装置が設けられた車両用シートを乗員とともに示す側面図。
【図２】（ａ）は、一実施形態において屈曲される前の収容布を示す展開図、（ｂ）は、図２（ａ）の一部を拡大して示す部分展開図。
【図３】（ａ）は、一実施形態におけるエアバッグモジュールの内部構造を、車外側から見た状態で示す側断面図、（ｂ）は図３（ａ）の一部を拡大して示す部分側断面図。
【図４】（ａ）は、一実施形態におけるエアバッグモジュールを車内側から見た状態で示す側面図、（ｂ）は、図４（ａ）の一部を拡大して示す部分側面図。
【図５】（ａ）は、一実施形態において、周縁結合部による結合が解かれてエアバッグが平面状に広げられた状態のエアバッグモジュールを示す展開図、（ｂ）は図５（ａ）の一部を拡大して示す部分展開図。
【図６】（ａ）は、図５（ａ）のエアバッグモジュールを裏面側から見た展開図、（ｂ）は図６（ａ）の一部を拡大して示す部分展開図。
【図７】一実施形態を示す図であり、（ａ）は、ガス発生器がエアバッグとともに車両用シートのサイドフレーム部に取付けられた状態を示す部分断面図、（ｂ）は、図７（ａ）の部分平断面図。
【図８】一実施形態におけるエアバッグモジュールの構成部品の部分分解斜視図。
【図９】一実施形態を示す図であり、（ａ）は、ガス発生器が取付けられる前のエアバッグの収容室周りの部分断面図、（ｂ）は、ガス発生器が収容室に挿入される途中の状態を示す部分断面図。
【図１０】（ａ）は、図９（ｂ）におけるガス噴出部が挿通部に挿通され始めた状態を示す部分断面図、（ｂ）は、図１０（ａ）における非ガス噴出部が挿通部に挿通された状態を示す部分断面図。
【図１１】エアバッグにおける膨張部の内圧の変化を測定した結果を示すグラフ。
【図１２】インパクタを壁側へ移動させた場合のその移動量（ストローク）とインパクタに加わる荷重との関係を測定した結果を示すグラフ。
【発明を実施するための形態】
【００３１】
以下、エアバッグ装置を車両用のサイドエアバッグ装置に具体化した一実施形態について、図面を参照して説明する。
なお、以下の記載においては、車両の前進方向を前方として説明し、車両の後進方向を後方として説明する。また、車両の幅方向（車幅方向）における中央部を基準とし、その中央部に近づく側を「車内側」とし、中央部から遠ざかる側を「車外側」とするものとする。
【００３２】
また、車両用シートには、乗員として、標準的な体格を有する大人が、予め定められた正規の姿勢で着座しているものとする。
図１に示すように、車両１０においてボディサイド部の車内側の近傍には車両用シート１２が配置されている。ここで、ボディサイド部とは、車両１０の側部に配置された車両構成部材を指し、主としてドア、ピラー等がこれに該当する。例えば、前席に対応するボディサイド部は、フロントドア、センターピラー（Ｂピラー）等である。また、後席に対応するボディサイド部は、サイドドア（リヤドア）の後部、Ｃピラー、タイヤハウスの前部、リヤクォータ等である。
【００３３】
車両用シート１２は、シートクッション１３と、そのシートクッション１３の後側で斜め後ろ上方へ起立するシートバック１４とを備えている。車両用シート１２は、シートバック１４が前方を向く姿勢で車両１０に配置されている。このように配置された車両用シート１２の幅方向は、車幅方向と合致する。
【００３４】
シートバック１４内には、その骨格をなすシートフレームが配置されている。シートフレームの一部は、図７（ａ），（ｂ）に示すように、シートバック１４内の車外側部分に配置されたサイドフレーム部１５によって構成されている。
【００３５】
シートバック１４の車外側の側部内には収納部１７が設けられ、ここにサイドエアバッグ装置の主要部を構成するエアバッグモジュールＡＭが組込まれている。エアバッグモジュールＡＭは、ガス発生器２０及びエアバッグ２５を主要な構成部材として備えている。次に、これらの構成部材の各々について説明する。
【００３６】
＜ガス発生器２０＞
ガス発生器２０は、その主要部をなすガス発生器本体と、ガス発生器本体をサイドフレーム部１５に取付けるための１つ以上の取付突起とによって構成されている。
【００３７】
ガス発生器本体は、本実施形態では長尺状をなすインフレータ２１によって構成されている。インフレータ２１は、それぞれ円柱状をなすガス噴出部２１ａ及び非ガス噴出部２１ｃを備えている。非ガス噴出部２１ｃは、ガス噴出部２１ａに隣接した状態で、そのガス噴出部２１ａと同軸上に設けられている。非ガス噴出部２１ｃの内部には、膨張用ガスを発生するガス発生剤（図示略）が収容されている。ガス噴出部２１ａの外周部には、膨張用ガスを噴出する複数のガス噴出孔２１ｂが設けられている。また、非ガス噴出部２１ｃのガス噴出部２１ａとは反対側の端部（下端部）には、インフレータ２１への作動信号の入力配線となるハーネス（図示略）が接続されている。
【００３８】
上記のようにガス発生剤を用いたインフレータ２１は、一般に「パイロタイプ」と呼ばれる。なお、インフレータ２１としては、こうしたパイロタイプに代えて、高圧の膨張用ガスの充填されたボンベの隔壁を火薬等によって破断してその膨張用ガスを噴出させるタイプ（ハイブリッドタイプ）が用いられてもよい。
【００３９】
非ガス噴出部２１ｃの外周面であって、ガス噴出部２１ａに対しインフレータ２１の軸線Ｌ１に沿う方向（下方）へ離間した２箇所には、取付突起としてのボルトが、その軸線Ｌ１に直交する方向であって互いに同一方向へそれぞれ突設されている。一方のボルトは、ガス噴出部２１ａに対し下側に隣接する箇所に設けられている。このボルトとガス噴出部２１ａの下端との間隔は、一般的なインフレータにおけるそれよりも狭くなっている。他方のボルトは、非ガス噴出部２１ｃの下部に設けられている。両取付突起を区別するために、前者のボルトを「特定取付突起２２」といい、後者のボルトを単に「取付突起２３」というものとする。取付突起２３としては、特定取付突起２２と同じか、又は短い長さを有するものが用いられている。
【００４０】
上記のように、特定取付突起２２がガス噴出部２１ａに接近した箇所に設けられることで、インフレータ２１の軸線Ｌ１に沿う方向の小型化が図られている。
＜エアバッグ２５＞
図４（ａ），（ｂ）は、エアバッグ２５が膨張用ガスを充填させることなく平面状に展開させられた状態（以下「非膨張展開状態」という）のエアバッグモジュールＡＭを、車内側から見た状態で示している。また、図３（ａ），（ｂ）は、エアバッグモジュールＡＭの内部構造を示すべく、非膨張展開状態のエアバッグ２５が車幅方向の中央部分で切断されたエアバッグモジュールＡＭを、車外側から見た状態で示している。さらに、図５（ａ），（ｂ）は、周縁結合部２９による結合が解かれてエアバッグ２５が平面状に広げられた状態のエアバッグモジュールＡＭを示している。
【００４１】
図３（ａ）、図４（ａ）及び図５（ａ）に示すように、エアバッグ２５の主要部は、１枚の布片（基布、パネル布等とも呼ばれる）を、その幅方向の中央部に設定された屈曲部としての折り線２６において二つ折りして車幅方向に重ね合わせ、その重ね合わされた部分を結合させることにより形成されている。ここでは、エアバッグ２５の重ね合わされた２つの部分を区別するために、車内側に位置するものを第１布部２７といい、車外側に位置するものを第２布部２８というものとする。
【００４２】
第１布部２７及び第２布部２８としては、強度が高く、かつ可撓性を有していて容易に折り畳むことのできる素材、例えばポリエステル糸、ポリアミド糸等を用いて形成した織布等が適している。
【００４３】
第１布部２７及び第２布部２８の上記結合は、それらの周縁部に設けられた周縁結合部２９においてなされている。本実施形態では、周縁結合部２９は第１布部２７及び第２布部２８の周縁部のうち、後端部（折り線２６の近傍部分）等を除く部分を、縫製（縫糸で縫合）することにより形成されている。このように、結合が縫製による点は、後述する結合部４５についても同様である。
【００４４】
上記縫製に関し、図３〜図７、図９及び図１０では、３つの線種によって縫製部分が表現されている。１つ目の線種は、一定長さの太線を断続的に並べて表現した線（破線の一種）であり、これは、縫合部分を車外側又は車内側から見た状態で示している（図４（ａ）における周縁結合部２９等参照）。２番目の線種は、一定長さ（一般的な破線よりも長い長さ）の細線を断続的に並べて表現した線であり、これは、例えば布片の奥に位置していて直接は見えない（隠れている）縫糸の状態を示している（図９（ｂ）における結合部４５等参照）。３番目の線種は、点を一定間隔おきに並べて表現した線（破線の一種）であり、これは、例えば縫合の対象となる第１布部２７及び第２布部２８の間における縫糸の状態を示している（図３（ａ）における周縁結合部２９等参照）。すなわち、縫製が３番目の線種で表現されている図は、縫製部分を通る断面に沿った断面構造を示している。
【００４５】
なお、周縁結合部２９は、上記縫糸を用いた縫合とは異なる手段、例えば接着剤を用いた接着によって形成されてもよい。この点は、結合部４５についても同様である。
図７（ａ）に示すように、エアバッグ２５は、上記ガス噴出部２１ａから噴出される膨張用ガスにより膨張する膨張部３１を備えるとともに、インフレータ２１を収容するための筒状の収容室３２を膨張部３１の外部に備えている。
【００４６】
これらの膨張部３１及び収容室３２の形成のために、上記第１布部２７及び第２布部２８と同様の素材からなる１枚の縦長の収容布３３が用いられている。図２（ａ）は、屈曲される前の収容布３３を示している。図２（ａ），（ｂ）及び図９（ａ）に示すように、収容布３３の長さ方向における中央部には、屈曲部として、幅方向（図２（ａ），（ｂ）の左右方向）に延びる谷折り線３４が設定されている。また、収容布３３の長さ方向における中央部分であって、谷折り線３４を長さ方向の両側から挟み込む箇所には、それぞれ幅方向に延びる一対の山折り線３５，３６が屈曲部として設定されている。
【００４７】
収容布３３において、両山折り線３５，３６によって挟まれた部分（谷折り線３４を含む）は、収容室３２と膨張部３１とを隔てる隔壁３７を構成している。隔壁３７のうち、谷折り線３４と一方の山折り線３５とによって挟まれた部分は、重ね合わせ部３８を構成している。隔壁３７のうち、谷折り線３４と他方の山折り線３６とによって挟まれた部分は、重ね合わせ部３９を構成している。両重ね合わせ部３８，３９は、屈曲部（谷折り線３４）を介して屈曲可能に接続されている。屈曲部（谷折り線３４）において屈曲されて重ね合わされた一対の重ね合わせ部３８，３９によって、特定取付突起２２の長さ方向に伸縮し得る伸縮部４０が構成されている。
【００４８】
さらに、収容布３３において、隔壁３７を収容布３３の長さ方向両側から挟み込む２つの部分のうち、山折り線３５に隣接するものは収容壁部４１を構成し、山折り線３６に隣接するものは収容壁部４２を構成している。重ね合わせ部３８と収容壁部４１とは、屈曲部（山折り線３５）を介して屈曲可能に接続され、重ね合わせ部３９と収容壁部４２とは、屈曲部（山折り線３６）を介して屈曲可能に接続されている。
【００４９】
そして、収容布３３は、谷折り線３４に沿って谷折り（屈曲）され、かつ各山折り線３５，３６に沿って山折り（屈曲）されることで、蛇腹状に折り畳まれている。両重ね合わせ部３８，３９及び両収容壁部４１，４２は、それらの厚み方向に重ねられている。この厚み方向は、上記特定取付突起２２の長さ方向と同一である。両重ね合わせ部３８，３９は、両収容壁部４１，４２間の上端部に位置している。
【００５０】
上記のように蛇腹状に折り畳まれることで長さ方向の寸法を小さくされた収容布３３（図８参照）は、図５（ａ），（ｂ）及び図６（ａ），（ｂ）に示すように、第１布部２７及び第２布部２８の間であって、折り線２６を跨ぐ箇所に配置されている。蛇腹状に折り畳まれた上記収容布３３は、その周縁部のうち上縁部を除く部分に沿って略Ｕ字状に設けられた結合部４５によって第１布部２７と、第１布部２７及び第２布部２８の境界部分とに結合されている。結合部４５の多くは、収容布３３の多くの部分を第１布部２７に結合している。結合部４５の一部は、折り線２６上に設けられている。
【００５１】
図４（ａ），（ｂ）及び図５（ａ），（ｂ）に示すように、エアバッグ２５における上記膨張部３１は、第１布部２７及び第２布部２８の間であって、周縁結合部２９によって囲まれた空間によって構成されている。この膨張部３１は、図１に示すように、乗員Ｐの上半身の一部（胸部ＰＴから肩部ＰＳにかけての部位）の側方で展開及び膨張することにより、同部分を拘束して衝撃から保護する機能を担っている。図７（ａ）に示すように、収容布３３における一方の収容壁部４２は、収容室３２の一部と膨張部３１の一部とを構成している。
【００５２】
また、上記収容室３２の主要部は、収容布３３の両収容壁部４１，４２間であって、結合部４５と隔壁３７とで囲まれた空間によって構成されている。第１布部２７のうち収容壁部４１が結合された領域もまた収容室３２の一部を構成している。このように構成された収容室３２は、膨張部３１の外部で上下方向に延びる筒状をなしている。
【００５３】
図５（ａ），（ｂ）に示すように、第１布部２７、屈曲部（折り線２６）及び第２布部２８は、共通の布により形成されている。図９（ａ），（ｂ）に示すように、両重ね合わせ部３８，３９及び両収容壁部４１，４２は、屈曲部（谷折り線３４及び両山折り線３５，３６）において屈曲されることにより、第１布部２７及び第２布部２８の間で厚み方向に重ね合わされている。
【００５４】
図８に示すように、一方の収容壁部４１の下部と、第１布部２７のうち結合部４５によって収容壁部４１が結合される領域の下部とには、インフレータ２１の挿入口４６がそれぞれ設けられている。挿入口４６は、屈曲部（折り線２６）を起点とし、その屈曲部（折り線２６）に直交する方向のうち第２布部２８から遠ざかる側へ延びるスリットによって構成されている。挿入口４６（スリット）の長さは、ガス発生器２０が挿入し得る長さに設定されている。
【００５５】
図２（ａ），（ｂ）に示すように、隔壁３７の一部には、ガス噴出孔２１ｂが膨張部３１内に位置するように非ガス噴出部２１ｃを挿通させるための挿通部４７が設けられている。挿通部４７は、自身の内壁面が非ガス噴出部２１ｃの外周面に密着する大きさの円形の孔によって構成されている。本実施形態では、収容布３３が布によって形成されていて、若干の伸縮性を有していることを考慮し、挿通部４７の内径が非ガス噴出部２１ｃの外径と同一か、それよりも僅かに小さな値に設定されている。
【００５６】
円形の孔からなる挿通部４７の中心は、一対の重ね合わせ部３８，３９間の屈曲部（谷折り線３４）よりも後述する取付孔４８，４９から遠い側に位置している。本実施形態では、挿通部４７の全体が、取付孔４８，４９から遠い側（収容壁部４２に近い側）の重ね合わせ部３９に形成されている。
【００５７】
図７（ａ），（ｂ）に示すように、隔壁３７は、上記のように収容室３２と膨張部３１とを隔てる機能を有するほかに、膨張部３１内の膨張用ガスが、挿通部４７の内壁面と非ガス噴出部２１ｃの外周面との隙間から収容室３２へ漏出するのを規制する機能も有している。
【００５８】
図９（ａ），（ｂ）に示すように、収容布３３の膨張部３１から遠い側の収容壁部４１と、第１布部２７のうち同収容壁部４１が重ね合わされた領域とにおいて、挿入口４６よりもガス発生器２０の挿入方向前方の箇所、本実施形態では、挿入口４６と挿通部４７との間の２箇所には、取付孔４８，４９がそれぞれあけられている。図７（ａ）に示すように、一方の取付孔４９は、非ガス噴出部２１ｃのガス噴出部２１ａとの境界部分が挿通部４７によって取り囲まれた状態で、収容壁部４１及び第１布部２７において特定取付突起２２と対向する箇所に設けられている。他方の取付孔４８は、上記と同じ状態で、収容壁部４１及び第１布部２７において取付突起２３と対向する箇所に設けられている。
【００５９】
ところで、エアバッグモジュールＡＭは、非膨張展開状態のエアバッグ２５（図４（ａ）参照）が折り畳まれることにより、コンパクトな形態（以下「収納用形態」という）にされている（図７（ｂ）参照）。これは、エアバッグモジュールＡＭを、シートバック１４における限られた大きさの収納部１７に対し、収納に適したものとするためである。エアバッグ２５が折り畳まれたエアバッグモジュールＡＭは、結束テープ（図示略）等の保持手段によって収納用形態に保持される。
【００６０】
収納用形態に保持されたエアバッグモジュールＡＭは収納部１７に配設されている。そして、図７（ａ），（ｂ）に示すように、特定取付突起２２及び取付突起２３が、サイドフレーム部１５にあけられた孔１６にそれぞれ挿通されている。特定取付突起２２及び取付突起２３のそれぞれにナット１８が締付けられることにより、ガス発生器２０がエアバッグ２５と一緒にサイドフレーム部１５に固定されている。
【００６１】
サイドエアバッグ装置は、上述したエアバッグモジュールＡＭのほかに、図１に示す衝撃センサ６１及び制御装置６２を備えている。衝撃センサ６１は加速度センサ等からなり、車両１０のボディサイド部に取付けられており、同ボディサイド部に外側方から加わる衝撃を検出する。制御装置６２は、衝撃センサ６１からの検出信号に基づきインフレータ２１の作動を制御する。
【００６２】
さらに、車両１０には、車両用シート１２に着座している乗員Ｐを拘束するためのシートベルト装置が装備されているが、図１ではこのシートベルト装置の図示が省略されている。
【００６３】
次に、上記のように構成された本実施形態のサイドエアバッグ装置の作用について説明する。
最初に、エアバッグ２５にガス発生器２０を組付ける手順について説明する。
【００６４】
図９（ａ）に示すように、インフレータ２１と特定取付突起２２及び取付突起２３とにより構成されるガス発生器２０をエアバッグ２５に組付ける際には、同ガス発生器２０を、開口された挿入口４６から収容室３２に挿入しながら、特定取付突起２２を取付孔４９に近づけ、取付突起２３を取付孔４８に近づける必要がある。そのためには、収容室３２のうち、少なくとも挿入口４６と取付孔４９との間の領域では、図９（ｂ）に示すように、インフレータ２１の軸線Ｌ１に直交する方向における寸法が、ガス発生器２０を挿入できる寸法になっていることが要求される。
【００６５】
また、特定取付突起２２がガス噴出部２１ａの近くに位置し、かつ取付孔４９が隔壁３７に近い箇所に位置している本実施形態では、その隔壁３７は、上記軸線Ｌ１に直交する方向における収容室３２の大きさに影響を及ぼす。そのため、仮に、隔壁３７の寸法が適正値よりも小さいと、挿入口４６と取付孔４９との間の領域では、軸線Ｌ１に直交する方向における収容室３２の寸法が、ガス発生器２０を挿入できる寸法よりも小さくなってしまう。
【００６６】
この点、一対の重ね合わせ部３８，３９からなる伸縮部４０が隔壁３７に形成されている本実施形態では、隔壁３７において、隣り合う重ね合わせ部３８，３９のなす角を屈曲部（谷折り線３４）において変化させることで、伸縮部４０を特定取付突起２２の長さ方向に伸縮させることが可能である。
【００６７】
従って、特定取付突起２２が取付孔４９に挿通される前に、伸縮部４０を伸張させることで、挿入口４６と取付孔４９との間の領域では、軸線Ｌ１に直交する方向における収容室３２の寸法を、ガス発生器２０を挿入できる寸法にすることが可能である。ガス発生器２０を収容室３２に支障なく挿入させて、特定取付突起２２を取付孔４９へ導き、取付突起２３を取付孔４８に導くことが可能である。
【００６８】
一方、孔からなる挿通部４７の全体は、一対の重ね合わせ部３８，３９のうち、取付孔４９から遠い側（膨張部３１に近い側）の重ね合わせ部３９に形成されている。重ね合わせ部３９には収容壁部４２が隣接している。
【００６９】
従って、特定取付突起２２が収容壁部４１に向かって延びるようにガス発生器２０の姿勢を調整する。図９（ｂ）に示すように、収容室３２に対し、ガス発生器２０を挿入口４６から、収容壁部４２に沿って挿入する。こうすることで伸縮部４０が伸張し、挿入口４６と取付孔４９との間の領域では、軸線Ｌ１に直交する方向における収容室３２の寸法が、ガス発生器２０を挿入できる寸法になる。図１０（ａ），（ｂ）に示すように、ガス噴出部２１ａを挿通部４７へ導き、特定取付突起２２を取付孔４９へ導き、かつ取付突起２３を取付孔４８へ導くことができる。
【００７０】
図１０（ｂ）に示すように、非ガス噴出部２１ｃが、ガス噴出部２１ａとの境界部分まで挿通部４７に挿通されると、全てのガス噴出孔２１ｂが膨張部３１内に位置する。隔壁３７は、特許文献１における縫合部分のような、挿通部４７の周りの部分の剛性を高める構成を有していない。挿通部４７の内壁面は、剛性を高められた場合よりも非ガス噴出部２１ｃの外周面に沿って変形しやすい。そのため、非ガス噴出部２１ｃと挿通部４７の内壁面との間には隙間が生ずるが、その隙間を、剛性が高められて変形しにくくなる特許文献１よりも小さくすることができる。
【００７１】
本実施形態では、挿通部４７を、円柱状をなす非ガス噴出部２１ｃの外形形状に対応する円形の孔によって構成している。そのため、挿通部４７を他の形状にする場合に比べ、挿通部４７の内壁面を非ガス噴出部２１ｃの外周面に密着させることが容易である。
【００７２】
しかも、本実施形態では、挿通部４７の内径を、非ガス噴出部２１ｃの外径と同一か、又はそれよりも僅かに小さくしている。そのため、挿通部４７に非ガス噴出部２１ｃが挿通された状態では、挿通部４７の内壁面が非ガス噴出部２１ｃの外周面に密着する。非ガス噴出部２１ｃと挿通部４７の内壁面との間の隙間は採り得る最小又はそれに近い大きさとなる。
【００７３】
上記のように、非ガス噴出部２１ｃが、ガス噴出部２１ａとの境界部分まで挿通部４７に挿通されると、特定取付突起２２が取付孔４９に対向し、かつ取付突起２３が取付孔４８に対向する。そのため、非ガス噴出部２１ｃが挿通部４７に挿通された上記状態のガス発生器２０を収容壁部４１に近づける。すると、隔壁３７を特定取付突起２２の長さ方向に収縮させつつ、特定取付突起２２が取付孔４９に挿通させられ、取付突起２３が取付孔４８に挿通させられる。その結果、特定取付突起２２及び取付突起２３をエアバッグ２５（膨張部３１及び収容室３２）の外部に位置させた状態で、ガス発生器２０がエアバッグ２５に組付けられる。
【００７４】
次に、本実施形態のサイドエアバッグ装置の動作について説明する。
ボディサイド部に対し側方から衝撃が加わったことが衝撃センサ６１によって検出されないときには、制御装置６２からインフレータ２１に対し、これを作動させるための作動信号が出力されず、インフレータ２１から膨張用ガスが噴出されない。エアバッグ２５は、収納用形態でガス発生器２０とともに収納部１７に収納され続ける（図７（ｂ）参照）。
【００７５】
これに対し、車両１０の走行中等に、側突等によりボディサイド部に所定値以上の衝撃が加わり、そのことが衝撃センサ６１によって検出されると、その検出信号に基づき制御装置６２からインフレータ２１に対し、これを作動させるための作動信号が出力される。この作動信号に応じて、インフレータ２１は膨張用ガスをガス噴出部２１ａのガス噴出孔２１ｂから噴出する。
【００７６】
この膨張用ガスは膨張部３１に供給される。この際、膨張部３１内に供給された膨張用ガスが、挿通部４７の内壁面と非ガス噴出部２１ｃの外周面との隙間から収容室３２へ漏出しようとしても、その隙間が小さくなっていることから漏出しにくい。
【００７７】
膨張部３１は、上記のようにして供給された膨張用ガスにより膨張を開始する。この膨張は、折り状態の解消（展開）を伴いながらなされる。エアバッグ２５は、その一部（後部）を収納部１７に残した状態で、シートバック１４から、前方へ飛び出す。
【００７８】
その後も膨張用ガスが供給されるエアバッグ２５は、ボディサイド部と、車両用シート１２に着座している乗員Ｐの上半身（胸部ＰＴから肩部ＰＳにかけての領域）との間で前方へ向けて折り状態を解消（展開）しながら膨張する（図１参照）。このときにも、挿通部４７の内壁面と非ガス噴出部２１ｃの外周面との隙間から収容室３２へ漏出する膨張用ガスは僅かである。
【００７９】
このように展開及び膨張したエアバッグ２５が、乗員Ｐの上半身と、車内側へ進入してくるボディサイド部との間に介在する。このエアバッグ２５によって上半身が車内側へ押圧されて拘束される。そして、ボディサイド部を通じて上半身に伝わる側方からの衝撃が、エアバッグ２５によって緩和されて、同上半身が保護される。
【００８０】
ここで、図１１のグラフは、膨張用ガスが供給されて展開及び膨張する膨張部３１の内圧が時間の経過に従いどのように変化するかを測定した結果を示している。図１１中の比較例１は、ガス発生器の全体を内装した状態で第１布部及び第２布部を周縁結合部によって結合したものをエアバッグモジュールとした場合を示している。エアバッグには、インフレータから延びるハーネスを通すための挿通部が設けられているが、これは、ガス発生器の挿入口に比べると小さい。比較例２は、最初にエアバッグを製作し、その後に、エアバッグに形成された挿入口を通じてガス発生器が挿入されたものをエアバッグモジュールとした場合を示している。比較例２では、本実施形態とは異なり、挿通部を有する隔壁は設けられていない。
【００８１】
比較例１では、膨張部からの膨張用ガスの漏出が比較例２よりも少なく、比較例２に比べて膨張部の内圧の最大値が高くなる。本実施形態では、内圧が時間の経過とともに、比較例１と同程度の高い値で変化する。このことから、本実施形態では、膨張用ガスの膨張部３１からの漏出が比較例１と同程度に少ないことが判る。
【００８２】
また、図１２のグラフは、エアバッグが膨張されたエアバッグモジュールを壁とインパクタとで挟み込み、インパクタを壁側へ移動させていった場合のその移動量（ストローク）とエアバッグからインパクタに加わる荷重との関係を測定した結果を示している。図１２中の一点鎖線は、壁の位置を示している。比較例１及び比較例２は、先に説明したものと同じである。
【００８３】
比較例１では、比較例２よりも少ないストロークで荷重が多く増加し、比較例２よりも衝撃吸収量が多いところ、本実施形態では、ストロークに対する荷重の特性が、比較例１と同等となることが判る。
【００８４】
なお、上記実施形態は、これを以下のように変更した変形例として実施することもできる。
＜ガス発生器２０について＞
・特定取付突起２２及び取付突起２３は、上記実施形態のように、非ガス噴出部２１ｃに直接固定されてもよいし、間接的に固定されてもよい。後者の場合、例えば、非ガス噴出部２１ｃの外周に帯状の補助部材（図示略）が装着され、この補助部材に特定取付突起２２又は取付突起２３が固定されてもよい。
【００８５】
・ガス発生器本体として、ガス噴出部２１ａ及び非ガス噴出部２１ｃを有するインフレータ２１と、この非ガス噴出部２１ｃを覆う筒状のリテーナとによって構成されるものが用いられてもよい。この場合、リテーナがガス発生器本体の外周部分を構成することになる。リテーナは、かしめ等の手段によってインフレータ２１に固定される。特定取付突起２２及び取付突起２３のうち少なくとも特定取付突起２２は、インフレータ２１に代えてリテーナに設けられる。
【００８６】
・上記のように、ガス発生器本体がインフレータ２１とリテーナとによって構成される場合、そのガス発生器本体をエアバッグ２５に組付ける態様としては、次の２態様がある。
【００８７】
第１の態様：インフレータ２１がリテーナに装着された形態のガス発生器本体を、特定取付突起２２及び取付突起２３とともに挿入口４６から収容室３２に挿入することで、エアバッグ２５に組付ける態様。
【００８８】
第２の態様：リテーナとインフレータ２１とを別々にエアバッグ２５に組付ける態様。この態様では、最初に、リテーナを少なくとも特定取付突起２２とともに挿入口４６から収容室３２に挿入し、特定取付突起２２を取付孔４９に挿通させることでエアバッグ２５に組付ける。その後、インフレータ２１を挿入口４６から収容室３２内のリテーナに挿入し、非ガス噴出部２１ｃを隔壁３７の挿通部４７に挿通させる。
【００８９】
上記第１の態様及び第２の態様のいずれであっても、ガス発生器本体の外周部から特定取付突起２２が突出するものをガス発生器としているため、インフレータ２１のみによってガス発生器本体が構成される上記実施形態と同様の作用及び効果が得られる。
【００９０】
・特定取付突起２２及び取付突起２３の少なくとも一方は、インフレータ２１を乗物に固定することのできるものであることを条件に、ボルトとは異なる部材に変更されてもよい。
【００９１】
・取付突起２３は、非ガス噴出部２１ｃのうち、インフレータ２１の軸線Ｌ１に沿う方向における複数箇所に設けられてもよい。取付突起２３が複数箇所に設けられる場合、全部の取付突起２３が同じ形態（例えば、ボルトとナットとによる締結）でサイドフレーム部１５に固定されてもよいし、異なる形態で固定されてもよい。
【００９２】
・取付突起が特定取付突起２２のみによって構成されてもよい。この場合には、取付突起２３が省略される。
・インフレータ２１として、特定取付突起２２が、非ガス噴出部２１ｃのうち、ガス噴出部２１ａから軸線Ｌ１に沿う方向へ上記実施形態よりも遠く離れたタイプが用いられてもよい。この場合には、隔壁３７から伸縮部４０を省略することが可能である。
【００９３】
これは、伸縮部４０がなくても、隔壁３７が、軸線Ｌ１に直交する方向における収容室３２の大きさに及ぼす影響が少ないからである。挿入口４６と取付孔４９との間の領域では、軸線Ｌ１に直交する方向における収容室３２の寸法を、インフレータ２１及び特定取付突起２２を挿入できる寸法よりも大きくすることが可能である。
【００９４】
・非ガス噴出部２１ｃは、必ずしも全てのガス噴出孔２１ｂが膨張部３１内に位置するように挿通部４７に挿通されなくてもよい。すなわち、非ガス噴出部２１ｃは、非ガス噴出部２１ｃに近いガス噴出孔２１ｂの一部が挿通部４７によって取り囲まれるように同挿通部４７に挿通されてもよい。
【００９５】
＜膨張部３１について＞
・エアバッグ２５は、その略全体が上記実施形態のように膨張部３１からなるものであってもよいが、膨張用ガスが供給されず膨張することのない非膨張部を一部に有するものであってもよい。
【００９６】
・膨張部３１は、複数の部屋（膨張室）に区画されてもよい。
＜隔壁３７について＞
・挿通部４７が孔に代えてスリットによって構成されてもよい。
【００９７】
・伸縮部４０は、隔壁３７の一部にのみ設けられてもよい。
・伸縮部４０は、上記実施形態よりも多い数（３以上）の重ね合わせ部によって構成されてもよい。
【００９８】
・挿通部４７は、その中心が、一対の重ね合わせ部３８，３９間の屈曲部（谷折り線３４）よりも取付孔４９から遠い側に位置することを条件に、上記実施形態とは異なる箇所に形成されてもよい。例えば、挿通部４７は、図２（ｂ）において二点鎖線で示すように、重ね合わせ部３８，３９に跨って形成されてもよい。
【００９９】
・隔壁３７は、非ガス噴出部２１ｃのうちガス噴出孔２１ｂから上記実施形態よりも遠く離れた箇所に配置されてもよい。
＜挿入口４６について＞
・挿入口４６が、スリットに代えて孔によって構成されてもよい。
【０１００】
＜適用できるエアバッグ装置の種類について＞
・エアバッグ装置は、ガス噴出部２１ａ及び非ガス噴出部２１ｃを有する長尺状のガス発生器本体と、ガス噴出部２１ａのガス噴出孔２１ｂから噴出される膨張用ガスにより膨張する膨張部３１を有するエアバッグ２５とを備えるものであれば、サイドエアバッグ装置とは異なる種類のエアバッグ装置にも適用可能である。
【０１０１】
その１つとして、膝保護用エアバッグ装置（ニーエアバッグ装置とも呼ばれる）がある。このタイプのエアバッグ装置は、乗物に加わる衝撃に応じ、乗物用シートに着座した乗員の下肢の前下方でエアバッグを膨張させることにより、同乗員の脛部から膝部にかけての部位を保護するものである。
【０１０２】
そのほかにも、エアバッグ装置は、シートクッションエアバッグ装置にも適用可能である。このタイプのエアバッグ装置は、乗物に加わる衝撃に応じ、乗物用シートのシートクッション内に配置されたエアバッグを膨張用ガスにより膨張させて座面を隆起させ、シートクッション上の乗員が前方へ移動するのを規制するものである。
【０１０３】
＜その他＞
・上記サイドエアバッグ装置は、シートバック１４が車両の前方とは異なる方向、例えば側方を向く姿勢で車両用シート１２が配置された車両において、その車両用シート１２に対し側方（車両の前後方向）から衝撃が加わった場合に、同衝撃から乗員Ｐを保護するタイプのサイドエアバッグ装置にも適用可能である。
【０１０４】
・乗員Ｐの上半身のうち、サイドエアバッグ装置によって保護される部位が、上記実施形態とは異なる部位に変更されてもよい。この場合、エアバッグ２５の形状や大きさが、乗員Ｐの対象となる部位を保護できる形状や大きさに変更される。
【０１０５】
・上記エアバッグ装置が適用される車両には、自家用車に限らず各種産業車両も含まれる。
・上記エアバッグ装置は、車両以外の乗物、例えば航空機、船舶等における乗物用シートに装備されるエアバッグ装置にも適用可能である。
【符号の説明】
【０１０６】
１０…車両（乗物）、２０…ガス発生器、２１…インフレータ（ガス発生器本体）、２１ａ…ガス噴出部、２１ｂ…ガス噴出孔、２１ｃ…非ガス噴出部、２２…特定取付突起（取付突起）、２３…取付突起、２５…エアバッグ、３１…膨張部、３２…収容室、３４…谷折り線（屈曲部）、３５，３６…山折り線（屈曲部）、３７…隔壁、３８，３９…重ね合わせ部、４０…伸縮部、４１，４２…収容壁部、４６…挿入口、４７…挿通部、４８，４９…取付孔、Ｌ１…軸線。
【図１】
0006583145.tif 000002
【図２】
0006583145.tif 000003
【図３】
0006583145.tif 000004
【図４】
0006583145.tif 000005
【図５】
0006583145.tif 000006
【図６】
0006583145.tif 000007
【図７】
0006583145.tif 000008
【図８】
0006583145.tif 000009
【図９】
0006583145.tif 000010
【図１０】
0006583145.tif 000011
【図１１】
0006583145.tif 000012
【図１２】
0006583145.tif 000013